(57)【要約】【課題】平均的な消費電力を制限して稼動させることができるＸ線ＣＴ装置を提供する。【解決手段】省電力モードを設ける。省電力モードでは、入力されたスキャン計画を実行した場合のＸ線管への平均供給電力Ｗａを算出して（Ｓ２４）、平均供給電力Ｗａが所定値Ｗｔｈ以下となるか判定し（Ｓ２５）、否定されたときには平均供給電力Ｗａが所定値Ｗｔｈ以下となるように、スキャン計画のスキャンパラメータを変更する（Ｓ２６）。このとき、ピーク電力優先モードでは、非曝射時間を特定するパラメータのみを変更し、時間優先モードでは、供給電力を特定するパラメータのみを変更し、バランスモードでは、これら両方のパラメータを変更する。【選択図】図４
2010273782.tif 000002
【特許請求の範囲】
【請求項１】
スキャン計画を設定するスキャン計画設定手段と、Ｘ線管およびＸ線検出器を有しており、これらを用いて前記設定されたスキャン計画を実行するスキャン手段とを備えたＸ線ＣＴ装置であって、
前記スキャン計画設定手段は、少なくともＸ線の曝射時間、前記Ｘ線管の管電圧および管電流を設定するものであり、さらに前記曝射時間、前記管電圧、前記管電流、および所定期間におけるＸ線の非曝射時間に基づいて、前記所定期間の前記Ｘ線管への平均供給電力を算出する電力算出手段を有しているＸ線ＣＴ装置。
【請求項２】
前記所定期間は、一つのスキャン計画の実行終了時点からその次のスキャン計画の実行終了時点までの期間である請求項１に記載のＸ線ＣＴ装置。
【請求項３】
前記スキャン計画設定手段は、
平均供給電力の上限値を設定する上限値設定手段と、
前記算出された平均供給電力が前記上限値を超えるか否かを判定する判定手段と、
前記判定手段により前記上限値を超えると判定されたときに、前記平均供給電力が前記上限値以下となるように、前記管電圧、前記管電流、および前記非曝射時間のうち少なくとも一つを変更する変更手段とを有している請求項１または請求項２に記載のＸ線ＣＴ装置。
【請求項４】
前記変更手段は、前記管電圧および／または管電流のみを変更するモードを有している請求項３に記載のＸ線ＣＴ装置。
【請求項５】
前記変更手段は、前記非曝射時間のみを変更するモードを有している請求項３または請求項４に記載のＸ線ＣＴ装置。
【請求項６】
前記変更手段は、前記管電圧および／または管電流と、前記非曝射時間とを変更するモードを有している請求項３から請求項５のいずれか一項に記載のＸ線ＣＴ装置。
【請求項７】
１ファラド以上の容量を有しており、前記Ｘ線管に電気エネルギーを供給して前記Ｘ線管への供給可能電力を増大させるキャパシタをさらに備えている請求項１から請求項６のいずれか一項に記載のＸ線ＣＴ装置。
【請求項８】
前記キャパシタは、電気二重層キャパシタまたは高分子キャパシタである請求項７に記載のＸ線ＣＴ装置。
【発明の詳細な説明】
【技術分野】
【０００１】
本発明は、Ｘ線ＣＴ装置（X-ray Computed Tomography System）に関し、特にスキャン（scan）計画の設定に関する。
【背景技術】
【０００２】
従来、Ｘ線ＣＴ装置を用いて被倹体を撮影する際には、Ｘ線ＣＴ装置のモニタ（monitor）に表示されるスキャン計画画面において操作者が各種のパラメータ（parameter）を入力あるいは選択することによりスキャン計画を行う。このパラメータとしては、例えば、撮影の開始位置および終了位置等の他、Ｘ線を曝射するときのＸ線管の管電圧および管電流、走査ガントリ（gantry）の回転部の回転速度、撮影開始までの待機時間（ＩＧＤ；Inter Group
Delay）、Ｘ線の曝射間の時間間隔（ＩＳＤ；Inter Scan Delay）等が挙げられる（例えば特許文献１、図１６，段落［００４９］〜［００５５］等参照）。
【先行技術文献】
【特許文献】
【０００３】
【特許文献１】特開２００６−３２０５２３号公報
【発明の概要】
【発明が解決しようとする課題】
【０００４】
ところで、上記のパラメータには、通常、設計上の仕様とＸ線管の蓄熱許容量に基づく制限が課せられるが、それ以外は特に制限無く設定可能である。そのため、設計上の仕様とＸ線管の蓄熱許容量さえ許せば、Ｘ線ＣＴ装置の消費電力とは無関係に、種々のスキャン計画による撮影を行うことができる。
【０００５】
しかしながら、実際には、Ｘ線ＣＴ装置が設置されている施設の電源事情や本装置のランニングコスト（running cost）低減化などを考えると、平均的な消費電力を一定以下に抑えて本装置を稼動させる必要がある。また、Ｘ線ＣＴ装置の平均的な消費電力は、個々のスキャン計画やこれを実行するペース（pace）などにより大きく異なるので、このような消費電力を操作者側で管理することは容易ではない。
【０００６】
本発明は、上記事情に鑑み、平均的な消費電力を操作者側で容易に管理することができるＸ線ＣＴ装置を提供することを目的とする。
【課題を解決するための手段】
【０００７】
第１の観点では、本発明は、スキャン計画を設定するスキャン計画設定手段と、Ｘ線管およびＸ線検出器を有しており、これらを用いて前記設定されたスキャン計画を実行するスキャン手段とを備えたＸ線ＣＴ装置であって、前記スキャン計画設定手段が、少なくともＸ線の曝射時間、前記Ｘ線管の管電圧および管電流を設定するものであり、さらに前記曝射時間、前記管電圧、前記管電流、および所定期間におけるＸ線の非曝射時間に基づいて、前記所定期間の前記Ｘ線管への平均供給電力を算出する電力算出手段を有しているＸ線ＣＴ装置を提供する。
【０００８】
第２の観点では、本発明は、前記所定期間が、一つのスキャン計画の実行終了時点からその次のスキャン計画の実行終了時点までの期間である上記第１の観点のＸ線ＣＴ装置を提供する。
【０００９】
第３の観点では、本発明は、前記スキャン計画設定手段が、平均供給電力の上限値を設定する上限値設定手段と、前記算出された平均供給電力が前記上限値を超えるか否かを判定する判定手段と、前記判定手段により前記上限値を超えると判定されたときに、前記平均供給電力が前記上限値以下となるように、前記管電圧、前記管電流、および前記非曝射時間のうち少なくとも一つを変更する変更手段とを有している上記第１の観点または第２の観点のＸ線ＣＴ装置を提供する。
【００１０】
第４の観点では、本発明は、前記変更手段が、前記管電圧および／または管電流のみを変更するモードを有している上記第３の観点のＸ線ＣＴ装置を提供する。
【００１１】
第５の観点では、本発明は、前記変更手段が、前記非曝射時間のみを変更するモード（mode）を有している上記第３の観点または第４の観点のＸ線ＣＴ装置を提供する。
【００１２】
第６の観点では、本発明は、前記変更手段が、前記管電圧および／または管電流と、前記非曝射時間とを変更するモードを有している上記第３の観点から第５の観点のいずれか一つの観点のＸ線ＣＴ装置を提供する。
【００１３】
第７の観点では、本発明は、１ファラド（farad）以上の容量を有しており、前記Ｘ線管に電気エネルギー（energy）を供給して前記Ｘ線管への供給可能電力を増大させるキャパシタ（capacitor）をさらに備えている上記第１の観点から第６の観点のいずれか一つの観点のＸ線ＣＴ装置を提供する。
【００１４】
第８の観点では、本発明は、前記キャパシタが、電気二重層キャパシタまたは高分子キャパシタである上記第７の観点のＸ線ＣＴ装置を提供する。
【発明の効果】
【００１５】
本発明によれば、スキャン計画設定手段が、少なくともＸ線の曝射時間、前記Ｘ線管の管電圧および管電流を設定するものであり、さらに前記曝射時間、前記管電圧、前記管電流、およびＸ線の非曝射時間に基づいて、所定期間の前記Ｘ線管への平均供給電力を算出する電力算出手段を有しているので、算出された平均供給電力を利用することにより、Ｘ線ＣＴ装置をその平均的な消費電力を操作者側で容易に管理することができる。
【図面の簡単な説明】
【００１６】
【図１】本発明の実施形態によるＸ線ＣＴ装置の構成を概略的に示す図である。
【図２】第一実施形態のＸ線ＣＴ装置に係る処理の流れを示すフローチャート（flowchart）である。
【図３】モニタに表示されるスキャン計画画面の一例を示す図である。
【図４】スキャン計画の設定処理を示すフローチャートである。
【図５】スキャン計画によるＸ線曝射のタイムチャート（time chart）の一例を示す図である。
【図６】Ｘ線曝射時にＸ線管への供給が許容されるピーク（peak）電力と、撮影時におけるＸ線曝射の時間的なデューティ（duty）との関係の一例を示す図である。
【発明を実施するための形態】
【００１７】
以下、本発明の実施形態について説明する。なお、これにより本発明が限定されるものではない。
【００１８】
図１は、本発明の実施形態によるＸ線ＣＴ装置の構成を概略的に示す図である。
【００１９】
Ｘ線ＣＴ装置１００は、操作コンソール（console）１と、撮影テーブル（table）１０と、走査ガントリ２０とを具備している。
【００２０】
操作コンソール１は、操作者からの入力を受け付ける入力装置２と、被検体の撮影を行うための各部の制御や画像を生成するためのデータ処理などを行う中央処理装置３と、走査ガントリ２０で取得したデータ（data）を収集するデータ収集バッファ（buffer）５と、画像を表示するモニタ６と、プログラム（program）やデータなどを記憶する記憶装置７とを具備している。
【００２１】
撮影テーブル１０は、被検体４０を載せて走査ガントリ２０の開口部Ｂに入れ出しするクレードル（cradle）１２を具備している。クレードル１２は、撮影テーブル１０に内蔵するモータ（motor）で昇降および水平直線移動される。なお、ここでは、被検体４０の体軸方向すなわちクレードル１２の水平直線移動方向をｚ方向、鉛直方向をｙ方向、ｚ方向およびｙ方向に垂直な水平方向をｘ方向とする。
【００２２】
走査ガントリ２０は、回転部１５と、回転部１５を回転可能に支持する本体部２０ａとを有する。回転部１５と本体部２０ａとは、スリップリング（slip ring）３０を介して電気的に接続されている。
【００２３】
回転部１５には、Ｘ線管２１と、Ｘ線管２１を制御するＸ線コントローラ（controller）２２と、Ｘ線管２１から発生したＸ線ビームＸｂをコリメート（collimate）して整形するコリメータ（collimator）２３と、被検体４０を透過したＸ線ビームＸｂを検出するＸ線検出器２４と、Ｘ線検出器２４の出力を投影データに変換して収集するＤＡＳ（Data Acquisition System）（データ収集装置ともいう）２５と、Ｘ線コントローラ２２，コリメータ２３，ＤＡＳ２５の制御を行う回転部コントローラ２６とが搭載される。Ｘ線検出器２４は、回転部１５の回転方向に複数のＸ線検出素子を配設した検出器列をｚ方向に複数列有する、いわゆる多列検出器である。
【００２４】
本体部２０ａは、不図示の系統電源から電気エネルギーを供給され蓄積するキャパシタ部２７と、不図示の系統電源およびキャパシタ部２７から電気エネルギーを供給され、Ｘ線管２１に管電圧および管電流を、スリップリング３０を介して与える高電圧装置２８と、制御信号などを操作コンソール１や撮影テーブル１０と通信する制御コントローラ２９を具備する。キャパシタ部２７は、一般的な平滑用キャパシタと比較して容量が非常に大きいキャパシタであり、例えば、少なくとも１〔Ｆ（ファラド）〕以上で数〔Ｆ〕から数千〔Ｆ〕の容量を有する。キャパシタ部２７としては、例えば、大容量で小型化が可能な電気二重層キャパシタや高分子キャパシタ含むものが好適である。ただし、電気二重層キャパシタ等のキャパシタ単体は、定格電圧が例えば２．７〔Ｖ〕程度と耐電圧の小さいものが多いため、実際にはこのようなキャパシタを直列に多数接続して耐電圧を数百〔Ｖ〕としたモジュール（module）を用いるのが一般的である。このようなキャパシタ部２７により、Ｘ線管２１に十分な電気エネルギーを供給することができ、Ｘ線管２１への供給可能電力を増大させることができる。また、電気二重層キャパシタや高分子キャパシタは、単位体積当りの容量が大きいので、省スペース（space）化を図ることができる。
【００２５】
なお、中央処理装置３は、本発明におけるスキャン計画設定手段、上限値設定手段、判定手段、および変更手段の一例であり、所定のプログラムを実行することにより、これらの手段として機能する。また、走査ガントリ２０は、本発明におけるスキャン手段の一例である。
【００２６】
これより、本実施形態のＸ線ＣＴ装置に係る処理の流れについて説明する。
【００２７】
図２は、第一実施形態のＸ線ＣＴ装置に係る処理の流れを示すフローチャートである。
【００２８】
ステップ（step）Ｓ１では、被検体４０をスカウトスキャン（scout scan）して被検体４０のスカウト画像を取得する。スカウトスキャンとは、例えば回転部１５を静止させ、被検体４０が載置されたクレードル１２をｚ方向に水平移動させながらＸ線管２１からＸ線ビームを被検体４０に照射して、被検体４０の投影データを得、この投影データを基に被検体４０の透視像であるスカウト画像を得るものである。これにより、被検体４０をｘ方向やｙ方向などの一方向に投影したスカウト画像が得られる。
【００２９】
ステップＳ２では、スキャンパラメータ（scan parameter）を選択・変更してスキャン計画の設定を行う。このスキャン計画の設定については、後ほど詳しく説明する。
【００３０】
ステップＳ３では、ステップＳ２にて設定されたスキャン計画に従ってスキャンシーケンス（scan sequence）を実行し、被検体４０をスキャンして投影データを収集する。
【００３１】
ステップＳ４では、収集された投影データを基に画像再構成し、被検体４０の断層画像を得る。
【００３２】
ステップＳ５では、被検体４０の断層画像をモニタ６に表示する。
【００３３】
ここで、ステップＳ２のスキャン計画の設定について詳しく説明する。スキャン計画は、モニタ６に表示されるスキャン計画画面において行われる。
【００３４】
図３は、モニタに表示されるスキャン計画画面の一例を示す図である。また、図４はスキャン計画の設定処理を示すフローチャートである。本例では、図３に示すスキャン計画画面５１においてスキャン計画を行う。なお、実際のスキャン計画画面は、より多くのスキャンパラメータを入力・表示するための欄が表示されるが、ここでは簡略化してある。
【００３５】
まず、ステップＳ２１では、スキャン計画画面５１を介して、操作者による各スキャンパラメータの入力、または選択を受け付ける。
【００３６】
スキャン計画画面５１内には、「開始位置」欄７１、「終了位置」欄７２、「画像枚数」欄７３、「管電圧」欄７４、「管電流」欄７５、「待機時間」欄７６、「曝射間時間」欄７７、および「回転速度」欄７８が表示される。
【００３７】
「開始位置」欄７１および「終了位置」欄７２は、被検体のｚ方向における撮影の開始位置ＺＳおよび終了位置ＺＥを入力するための欄である。「画像枚数」欄７３は、撮影の開始位置ＺＳから終了位置ＺＥまでの範囲について取得する画像枚数Ｎを入力するための欄である。「管電圧」欄７４および「管電流」欄７５は、Ｘ線を曝射するときにＸ線管２１に与える管電圧Ｖおよび管電流ｉを入力するための欄である。「待機時間」欄７６は、スキャン計画の実行開始から実際に撮影を開始するまでの待機時間Ｔｇを入力するための欄である。「曝射間時間」欄７７は、Ｘ線の曝射を複数回行う場合における曝射と曝射の間の時間間隔である曝射間時間ｔｄを入力するための欄である。「回転速度」欄７８は、回転部１５の回転速度ＲＴを入力するための欄である。
【００３８】
スキャン計画画面５１内には、さらに「撮影所要時間」欄７９が表示される。「撮影所要時間」欄７９は、スキャン計画の実行開始から実行終了までに掛かる撮影所要時間を表示するための欄である。スキャン計画画面５１を介して入力または選択されたスキャンパラメータ基に撮影所要時間を計算し、その結果をこの欄に表示する。
【００３９】
上記の一連のスキャンパラメータが入力または選択されると、一つのスキャン計画が定まる。
【００４０】
図５は、スキャン計画によるＸ線曝射のタイムチャートの一例を示す図である。スキャン計画画面を介して入力または選択されたスキャンパラメータによるスキャン計画ＳＰ１は、例えば図５に示すようなタイムチャートとなる。ここで、時点ｔ１は、前回のスキャン計画ＳＰ０の実行終了時点であり、時点ｔ２は、今回のスキャン計画ＳＰ１の実行開始時点である。時点ｔ１から時点ｔ２までの時間Ｔｐは、スキャン計画を立てている現時点を時点ｔ２として概算することができる。スキャン計画ＳＰ１の実行開始時点ｔ２から待機時間Ｔｇを経過した時点ｔ３にて、Ｘ線曝射を行う撮影を開始する。Ｘ線の曝射回数ｘは、撮影の開始位置ＺＳから終了位置ＺＥまでの距離や、Ｘ線検出器２４のｚ方向の検出幅、画像枚数Ｎ等により定まる。１回のＸ線曝射時間ｔｓは、１回のＸ線曝射にて投影データを収集するビュー角度範囲や、回転速度ＲＴ等により定まる。ビュー角度範囲は、例えば、フルスキャン（full scan）なら２π、ハーフスキャン（half scan）ならπ＋Ｘ線ビームファン角（X-ray beam fan angle）αである。Ｘ線の曝射と曝射の間は、曝射間時間ｔｄを挟んで行われる。そして、すべてのＸ線曝射を終了した撮影終了時点がスキャン計画ＳＰ０の実行終了時点ｔ６となる。
【００４１】
ステップＳ２２では、スキャン計画画面５１を介して、電力モードとして、通常モードと省電力モードのいずれかを選択する。
【００４２】
スキャン計画画面５１内には、「省電力モード」選択ボタン６１、「通常モード」選択ボタン（button）６２、「ピーク電力優先モード」選択ボタン６３、「時間優先モード」選択ボタン６４、「バランスモード（balance mode）」選択ボタン６５、および「平均供給電力上限値」欄６６が表示される。「省電力モード」選択ボタン６１および「通常モード」選択ボタン６２は、電力モードを選択するためのボタンであり、「省電力モード」選択ボタン６１が押下されると省電力モードを選択し、「通常モード」選択ボタン６２が押下されると通常モードを選択する。なお、スキャン計画画面を表示した段階においては、省電力モードと通常モードのいずれかがデフォルト（default）で選択されている。
【００４３】
省電力モードでは、ある所定期間におけるＸ線管２１への平均供給電力がある所定の上限値以下となるように、スキャンパラメータを制限する。本例では、この所定期間は、一つのスキャン計画の実行終了時点からその次のスキャン計画の実行終了時点までの期間である。「平均供給電力上限値」欄６６は、上記の平均供給電力の上限値Ｗｔｈを入力するための欄である。
【００４４】
一方、通常モードでは、スキャンパラメータに対するこのような制限はなされない。
【００４５】
省電力モードは、さらに複数のモード、すなわち、ピーク電力優先モード、時間優先モード、およびバランスモードに別れている。「ピーク電力優先モード」選択ボタン６３、「時間優先モード」選択ボタン６４、および「バランスモード」選択ボタン６５は、省電力モードが選択されたときに、さらにいずれのモードを選択するか決めるためのボタンであり、押下された選択ボタンに対応するモードを選択する。なお、省電力モードが選択された段階においては、これら３つのモードのいずれかがデフォルトで選択されている。これら３つのモードについては、後ほど詳しく説明する。
【００４６】
ステップＳ２３では、ステップＳ２２にて選択された電力モードが、通常モードであるか否かを判定する。ここで、通常モードであると判定されたときには、ステップＳ２７に進む。一方、通常モードでない、すなわち省電力モードであると判定されたときには、ステップＳ２４に進み、現在のスキャンパラメータによるスキャン計画を実行した場合におけるＸ線管への平均供給電力Ｗａを次式に従って算出する。
【００４７】
Ｗａ＝（Ｗ・ｔｓ・ｘ）／｛ｔｓ・ｘ＋ｔｄ・（ｘ−１）＋Ｔｇ＋Ｔｐ｝（数式１）
ただし、Ｗ＝Ｖ・ｉ                
【００４８】
ステップＳ２５では、算出した平均供給電力Ｗａが平均供給電力上限値Ｗｔｈ以下であるか否かを判定する。ここで、Ｗａ≦Ｗｔｈであると判定されたときには、ステップＳ２７に進む。一方、Ｗａ＞Ｗｔｈであると判定されたときには、ステップＳ２６に進み、スキャンパラメータを変更する。
【００４９】
ステップＳ２６では、Ｗａ≦Ｗｔｈとなるように、現在のスキャンパラメータを変更し、変更後のスキャンパラメータを候補として表示する。ただし、選択された省電力モードにより、スキャンパラメータの変更方法を次のように変える。
【００５０】
省電力モードがピーク電力優先モードであるときには、Ｘ線の非曝射時間を特定するスキャンパラメータのみを変更する。本例では、曝射間時間ｔｄおよび待機時間Ｔｇの少なくとも一方を変更する。つまり、個々のＸ線曝射時におけるＸ線管２１への供給電力Ｗであるピーク電力はそのままにして、曝射間時間ｔｄや待機時間Ｔｇを長く変更することにより、平均供給電力Ｗａを下げる。なお、曝射間時間ｔｄおよび待機時間Ｔｇについて、どちらをどれだけ長くするかは予め決めておいてもよいし、操作者に選択の余地を与えるようにしてもよい。
【００５１】
省電力モードが時間優先モードであるときには、Ｘ線を曝射する時のＸ線管２１への供給電力を特定するスキャンパラメータのみを変更する。本例では、供給電力Ｗを変更する。つまり、Ｘ線の非曝射時間はそのままにして、供給電力Ｗを定めるＸ線管２１の管電圧Ｖおよび管電流ｉの少なくとも一方を小さく変更することにより、平均供給電力Ｗａを下げる。なお、管電圧Ｖおよび管電流ｉについて、どちらをどれだけ小さくするかは予め決めておいてもよいし、操作者に選択の余地を与えるようにしてもよい。
【００５２】
省電力モードがバランスモードであるときには、Ｘ線の非曝射時間を特定するスキャンパラメータと、Ｘ線を曝射する時のＸ線管２１への供給電力を特定するスキャンパラメータの両方を変更する。本例では、曝射間時間ｔｄおよび待機時間Ｔｇの少なくとも一方と、管電圧Ｖおよび管電流ｉの少なくとも一方とを変更する。これにより、平均供給電力Ｗａを下げる。
【００５３】
ステップＳ２７では、現時点のスキャンパラメータ（ステップＳ２６を実行しなかったときには当初のもの、ステップＳ２６を実行したときにはその変更済みのもの）を確定するための操作、または現在の電力モードを変更するための操作の入力待ちを行う。そして、確定するための操作が行われたときには、ステップＳ２８に進み、スキャンパラメータを確定し、そのスキャン計画を実行するためのスキャンシーケンスに移る。一方、モードを変更するための操作が行われたときには、ステップＳ２２に戻り、モードの選択を再び受け付ける。
【００５４】
図６は、Ｘ線曝射時にＸ線管への供給が許容されるピーク電力と、撮影時におけるＸ線曝射の時間的なデューティとの関係の一例を示す図である。図６において、縦軸は、Ｘ線曝射時にＸ線管２１への供給が許容されるピーク電力Ｗｐであり、Ｗｐ＝Ｖ・ｉで表される。横軸は、撮影時におけるＸ線曝射の時間的なデューティＤｔであり、Ｄｔ＝（ｔｓ・ｘ）／｛（ｔｓ・ｘ）＋ｔｄ・（ｘ−１）｝で表される。図６では、Ｘ線ＣＴ装置１００がキャパシタ部２７を有している場合において、電力モードが通常モードであるときの曲線ＰＥ１（実線）と、電力モードが省電力モードであるときの曲線ＰＥ２（破線）とを示している。また、Ｘ線ＣＴ装置１００がキャパシタ部２７を有していない場合において、電力モードが通常モードであるときの曲線ＰＮ１（実線）と、電力モードが省電力モードであるときの曲線ＰＮ２（破線）とを示している。撮影時におけるＸ線曝射の時間的なデューティＤｔが小さくなれば、Ｘ線管２１の蓄熱許容量に余裕ができるので、許容されるピーク電力Ｗｐは大きくなる。逆に、デューティＤｔが大きくなれば、Ｘ線管２１の蓄熱許容量に余裕がなくなるので、許容されるピーク電力Ｗｐは小さくなる。キャパシタ部２７を有している場合には、キャパシタ部２７を有していない場合と比較して、Ｘ線管２１に系統電源からとは別に電気エネルギーを供給できるので、許容されるピーク電力Ｗｐは大きくなる。
【００５５】
Ｘ線ＣＴ装置１００がキャパシタ部２７を有することの利点は、ピーク電力が非常に大きいＸ線曝射を、系統電源に負担を掛けずに行うことができる点にある。しかし、同時に、Ｘ線管２１に供給できる平均的な電力も大幅に上がることになる。そのため、Ｘ線ＣＴ装置を、従来では予想できなかった大電力で稼動することも可能となり、これが時としてオーバースペック（over spec）に働く場合がある。本実施形態のように電力モードとして省電力モードがあれば、そのような状況にも対応することができ、キャパシタ部２７の優位な点のみを活かすことができる。
【００５６】
以上、このような本実施形態によれば、Ｘ線ＣＴ装置１００が、少なくともＸ線の曝射時間、前記Ｘ線管の管電圧および管電流を設定するものであり、さらにＸ線の曝射時間、管電圧、管電流、およびＸ線の非曝射時間に基づいて、所定期間のＸ線管への平均供給電力を算出するので、算出された平均供給電力を利用することにより、その平均的な消費電力を操作者側で容易に管理することができる。
【００５７】
また、本実施形態によれば、Ｘ線ＣＴ装置１００が、少なくとも一つのスキャン計画を実行する期間を含む所定期間のＸ線管２１への平均供給電力Ｗａが所定値Ｗｔｈ以下となるスキャン計画のみを設定可能とする省電力モードを有しているので、必要に応じてこのモードを使用することにより、Ｘ線ＣＴ装置１００をその平均的な消費電力を制限して稼動させることができる。
【００５８】
また、本実施形態によれば、省電力モードとして、ピーク電力優先モード、時間優先モード、バランスモードを有しており、消費電力の抑え方を必要に応じて選択することができる。ピーク電力優先モードであれば、ピーク電力を落とさずに消費電力を抑えることができる。時間優先モードであれば、撮影のペースを落とさずに消費電力を抑えることができる。また、バランスモードであれば、ピーク電力と撮影のペースとの落とし具合をバランスさせて消費電力を抑えることができる。
【００５９】
また、本実施形態によれば、キャパシタ部２７を有し、かつ、電力モードとして省電力モードを有しているので、ピーク電力が非常に大きいＸ線曝射を、系統電源に負担を掛けずに行うことができるだけでなく、Ｘ線管２１に供給できる平均的な電力が大幅に上がってオーバースペックに働くような状況においても対応することができ、キャパシタ部２７の優位な点のみを活かすことができる。
【００６０】
なお、本発明は、Ｘ線ＣＴ装置のみならず、Ｘ線ＣＴ装置とＰＥＴ（Positron Emission Tomography）またはＳＰＥＣＴ（Single Photon Emission Computed Tomography）とを組み合わせたＰＥＴ−ＣＴ装置やＳＰＥＣＴ−ＣＴ装置等にも、もちろん適用可能である。
【符号の説明】
【００６１】
１  操作コンソール
２  入力装置
３  中央処理装置
５  データ収集バッファ
６  モニタ
７  記憶装置
１０  撮影テーブル
１２  クレードル
１５  回転部
２０  走査ガントリ
２０ａ  本体部
２１  Ｘ線管
２２  Ｘ線コントローラ
２３  コリメータ
２４  Ｘ線検出器
２５  ＤＡＳ
２６  回転部コントローラ
２７  キャパシタ部
２８  高電圧装置
２９  制御コントローラ
３０  スリップリング
４０  被検体
１００  Ｘ線ＣＴ装置
Ｂ  開口部
Ｘｂ  Ｘ線ビーム
【図１】
2010273782.tif 000003
【図２】
2010273782.tif 000004
【図３】
2010273782.tif 000005
【図４】
2010273782.tif 000006
【図５】
2010273782.tif 000007
【図６】
2010273782.tif 000008